(57)【要約】      （修正有）【課題】道路車両におけるドアの欠点の少なくとも一部を克服するか又は低減するドアヒンジを提供する。【解決手段】本発明に係るドアヒンジ（300）は、ベース（304）によって道路車両に取り付けられる。ドアヒンジ（300）は、ドアマウント（302）を介してサイドドアを支持し、ドアが開かれるときに、ドアを上側に向けてシフトさせると同時に、外側方向にシフトさせ、更には外側方向に対して横方向の平面内で回転させる。これにより、サイドドアの最下部が、例えば道路車両が駐車する付近の縁石に衝突するリスクが低減される。【選択図】図３ｈ
2019123501.tif 000002
【特許請求の範囲】
【請求項１】
道路車両（100）のサイドドア（200）を前記道路車両（100）のボディに接続するためのドアヒンジ（300）であって、該ドアヒンジ（300）が、前記サイドドア（200）が閉鎖する閉鎖状態と、前記サイドドア（200）が開放する開放状態を有し、前記ドアヒンジ（300）が、
・前記ドアヒンジ（300）を前記サイドドア（200）に接続するドアマウント（302）と、
・前記ドアヒンジ（300）を前記道路車両（100）の前記ボディ（102）に取り付けるための、取り付け方位に位置するベース（304）と、
・前記ドアマウント（302）に接続された連結器（306）と、
・第１継手（310）により前記ベース（304）に旋回可能に接続され、第２継手（312）により前記連結器（306）に旋回可能に接続されたクランク（308）と、
・第３継手（316）により前記ベース（304）に旋回可能に接続され、第４継手（318）により前記連結器（306）に旋回可能に接続されたフォロワ（314）とを備え、
前記ベース（304）、前記連結器（306）、前記クランク（308）、並びに前記フォロワ（314）が、前記ドアヒンジ（300）が閉鎖状態から開放状態に変化したときに、前記ドアマウント（302）を、取り付け方位に位置する前記ベース（304）に対して、外側に向けてシフトさせるよう配置され、
前記連結器（306）が、第５継手（320）により、前記ドアマウント（302）に接続され、前記第５継手（320）が、回転継手として構成されると共に、前記ドアマウント（302）を前記連結器（306）に対して回転させるよう配置され、該回転が、外側に向けたシフトに対して横方向の回転であり、前記ドアヒンジ（300）が、
・前記ドアマウント（302）及び前記クランク（308）を接続すると共に、前記ドアヒンジ（300）が閉鎖状態から開放状態に変化したときに、前記ドアマウント（302）を前記連結器（306）に対して回転させるよう配置されている歯車機構（322）を更に備えるドアヒンジ。
【請求項２】
請求項１に記載のドアヒンジ（300）であって、前記第１継手（310）が、回転継手として構成されると共に、前記ドアヒンジ（300）が閉鎖状態から開放状態に変化したときに、前記ドアマウント（302）を、取り付け方位に位置する前記ベース（304）に対して、上側に向けてシフトさせるよう配置されているドアヒンジ。
【請求項３】
請求項１又は２に記載のドアヒンジ（300）であって、前記第１継手（310）が、第１回転軸線（330）を規定する回転継手として構成され、前記第１回転軸線（330）が、前記ドアヒンジ（300）が開放状態にあると共に、前記ベース（304）がその取り付け方位に位置する場合、前記ドアマウント（302）に対して傾斜しているドアヒンジ。
【請求項４】
請求項３に記載のドアヒンジ（300）であって、前記第１回転軸線（330）が、前記ドアマウント（302）に対して、垂直方向に5°〜25°又は10°〜20°の角度（394）だけ傾斜しているドアヒンジ。
【請求項５】
請求項１〜４の何れか一項に記載のドアヒンジ（300）であって、前記ベース（304）、前記連結器（306）、前記クランク（308）、並びに前記フォロワ（314）が、前記ドアヒンジ（300）が閉鎖状態から開放状態に変化したときに、前記連結器（306）と前記クランク（308）との間で角度変化（393）を生じさせるよう更に配置され、前記歯車機構（322）が、前記ドアマウント（302）に取り付けられた複数の第１歯部（324）と、前記クランク（308）に取り付けられた複数の第２歯部（326）を含み、前記第１歯部（324）及び前記第２歯部（326）が、協働するよう配置されているため、前記連結器（306）と前記クランク（308）との間で前記角度変化（393）が生じたときに、前記ドアマウント（302）が前記連結器（306）に対して回転するドアヒンジ。
【請求項６】
請求項５に記載のドアヒンジ（300）であって、前記第１歯部（324）及び前記第２歯部（326）が、傘歯車又は傘歯車の一部として構成されているドアヒンジ。
【請求項７】
請求項１〜６の何れか一項に記載のドアヒンジ（300）であって、前記第２継手（312）が、第２回転軸線（332）を規定する回転継手として構成され、前記第２回転軸線（332）が、前記ドアヒンジ（300）が閉鎖状態にあると共に、前記ベース（304）がその取り付け方位に位置する場合、前記ベース（304）に対して傾斜しているドアヒンジ。
【請求項８】
請求項７に記載のドアヒンジ（300）であって、前記第２回転軸線（332）が、前記ドアヒンジ（300）が閉鎖状態にあると共に、前記ベース（304）がその取り付け方位に位置する場合、前記ベース（304）に対して、垂直方向に5°〜25°又は10°〜20°の角度（395）だけ傾斜しているドアヒンジ。
【請求項９】
請求項１〜８の何れか一項に記載のドアヒンジ（300）であって、該ドアヒンジ（300）が閉鎖状態から開放状態に変化したときに、ダブルロッカー運動を規定する機械的リンク機構が、前記ベース（304）、前記連結器（306）、前記クランク（308）、並びに前記フォロワ（314）で構成されているドアヒンジ。
【請求項１０】
請求項１〜９の何れか一項に記載のドアヒンジ（300）であって、前記第１継手及び前記第３継手（310，316）が、前記ベース（304）上において離間し、前記第２継手及び前記第４継手（312，318）が、前記連結器（306）上において離間しているドアヒンジ。
【請求項１１】
請求項１０に記載のドアヒンジ（300）であって、前記第１継手と前記第３継手（310，316）との中心の間隔が、前記第２継手と前記第４継手（312，318）との中心の間隔よりも大きいドアヒンジ。
【請求項１２】
請求項１〜１１の何れか一項に記載のドアヒンジ（300）であって、前記第１継手と前記第２継手（310，312）との中心の間隔が、前記第３継手と前記第４継手（316，318）との中心の間隔よりも大きいドアヒンジ。
【請求項１３】
請求項１〜１２の何れか一項に記載のドアヒンジ（300）であって、第６継手（342）により前記ベース（304）に接続され、第７継手（344）により前記クランク（308）に接続されたダンパ（340）を更に備え、該ダンパ（304）が、前記ドアヒンジ（300）が開放状態から閉鎖状態に変化したときに、前記ベース（304）と前記クランク（308）との間の相対運動を減衰させるよう配置されているドアヒンジ。
【請求項１４】
請求項１〜１３の何れか一項に記載のドアヒンジ（300）であって、第８継手（352）により前記ベース（304）に接続され、第９継手により前記クランク（308）に接続されたアクチュエータ（350）を更に備え、該アクチュエータ（350）が、前記ドアヒンジ（300）を閉鎖状態から開放状態に変化させるよう構成されているドアヒンジ。
【請求項１５】
請求項１〜１４の何れか一項に記載のドアヒンジ（300）であって、10 kg〜100 kgの範囲の重量を有するサイドドア（200）を支持するよう構成されているドアヒンジ。
【請求項１６】
ボディ（102）と、サイドドア（200）と、請求項１〜１５の何れか一項に記載のドアヒンジ（300）とを備える道路車両（100）であって、前記ドアヒンジ（300）により、前記道路車両（100）の前記サイドドア（200）が前記道路車両（100）の前記ボディ（102）に接続されている道路車両。
【発明の詳細な説明】
【技術分野】
【０００１】
本発明は、道路車両のサイドドアを道路車両のボディに接続するためのドアヒンジに関する。
【背景技術】
【０００２】
道路車両の形状及び大きさは様々である。一般的な特徴はボディ及び四輪ではあるが、長さ、高さ、並びに幅などの特徴のみならず、ドアの種類及び配置などの細部は、道路車両に応じて大きく異なる。例えばステーションワゴン又はスポーツ・ユーティリティ・ビークル（SUV）と称される道路車両は、複数の搭乗者や、手荷物等のかさばる物品を収容するために、比較的大きいのみならずかなりの高さを有する。そのような道路車両の典型的な構成においては、車両が駐車している地面よりも高い位置にサイドドアが配置されているため、縁石又はその類似物が設けられた路上にて、道路車両が駐車しているときにサイドドアをリスクなく外側に向けてスイングすることができる。
【０００３】
他方で、典型的なスポーツカーは、ステーションワゴン又はSUVとは対照的に、高出力エンジンを備える低車高の車である。言うまでもなく、スポーツカーは、購入時の初期費用の点のみならず点検整備の点でも非常に高額であり、特に車両における損傷部分の修理費の点で非常に高額である。従って、スポーツカーの車高が低いという事実は、ドアが外側に向けてスイングしたときに縁石に衝突して損傷し、その後に高額の修理費がかかるというリスクに直接的な影響を及ぼす。
【０００４】
スポーツカーのドアを損傷するリスクは長い間に亘って認識されており、そのようなリスクを低減するために様々な試みがなされてきた。そのような試みの一例として、幾つかのタイプのスポーツカーにおいては、サイドドアを開くときに、サイドドアが車両のボディから極めて限定的な距離だけ外側に向けてスイングした後、ドアの平面に対して実質的に垂直な軸線周りに回転する例を挙げることができる。そのようなドアは、単一のドアヒンジで車両のボディに接続され、そのドアヒンジにより、ドアの横方向運動が回転運動と共に可能になるため、車両が駐車している場所の横に設けられた縁石に衝突してドアが損傷するリスクが低減される。しかしながら、スポーツカーの開発においては、低いプロファイルを有する車両に対する需要が引き続き高まっており、従ってそのような車両は、地面から非常に小さな距離で配置された最下部分を有するサイドドアを備える。従って、道路車両のドア、特にサイドドアが縁石に衝突して損傷を被ることなく開くことを可能にする構成が依然として求められている。
【発明の概要】
【発明が解決しようとする課題】
【０００５】
従って、本発明の課題は、道路車両におけるドアの欠点の少なくとも一部を克服するか又は低減することである。
【課題を解決するための手段】
【０００６】
この課題は、第１態様によれば、道路車両のサイドドアを道路車両のボディに接続するドアヒンジにより解決される。ドアヒンジは、サイドドアが閉じた閉鎖状態と、サイドドアが開いた開放状態を有する。ドアヒンジは、ドアヒンジをサイドドアに接続するためのドアマウントと、ドアヒンジを取り付け方位において道路車両のボディに取りつけるためのベース又フレームを備える。連結器は、ドアマウントに接続され、クランクは、第１継手によりベースに旋回可能に接続され、第２継手により連結器に旋回可能に接続される。フォロワは、第３継手によりベースに旋回可能に接続され、第４継手により連結器に旋回可能に接続される。
【０００７】
ベース、連結器、クランク、並びにフォロワは、ドアヒンジが閉鎖状態から開放状態に変化するときに、ドアマウント又はサイドドアを、取り付け方位に位置するベースに対して又は道路車両のボディに対して外側に向けてシフトさせるよう配置される。連結器は、第５継手によりドアマウントに接続される。この第５継手は、回転継手として構成されると共に、連結器に対してドアマウントの回転を可能にするよう配置される。この場合、ドアマウントの回転は、外側に向けた運動に対して横方向に生じる。歯車機構は、ドアマウント及びクランクを接続すると共に、ドアヒンジが閉鎖状態から開放状態に変化したときに、ドアマウントを連結器に対して回転させるよう配置される。
【０００８】
重量を支持する能力に関して、ドアヒンジの実施形態には、10 kg〜100 kgの範囲の重量を有するサイドドアを支持するよう構成されたドアヒンジが含まれる。
【０００９】
第１継手は、回転継手として構成可能であり、ドアヒンジが閉鎖状態から開放状態に変化するときに、ドアマウント又はサイドドアを、取り付け方位に位置するベースに対して又は道路車両のボディに対して外側に向けてシフトさせるよう配置又は配向される。
【００１０】
第１継手は、第１回転軸線を規定する回転継手として構成可能であり、第１回転軸線は、ドアヒンジが開放状態にあると共に、ベースがその取り付け方位に位置する場合、ドアマウントに対して傾斜している。
【００１１】
換言すれば、様々な態様において、このようなドアヒンジは、道路車両のドアが開かれるときに、ドアを上側に向けてシフトさせると同時に、外側方向にシフトさせ、更には外側方向に対して横方向の平面内で回転させるという技術的効果をもたらす。このような技術的効果の利点は、サイドドアの最下部が例えば縁石に衝突するリスクが低減され、従って道路車両に対する高額な修理が回避されることである。
【００１２】
幾つかの実施形態において、ベース、連結器、クランク、並びにフォロワは、ドアヒンジが閉鎖状態から開放状態に変化したときに、連結器とクランクとの間で角度変化を生じさせるよう更に配置される。そのような実施形態において、歯車機構は、ドアマウントに取り付けられた複数の第１歯部と、クランクに取り付けられた複数の第２歯部を含む。第１歯部及び第２歯部は、協働するよう配置されているため、連結器とクランクとの間で角度変化が生じたときにドアマウントが連結器に対して回転する。
【００１３】
換言すれば、そのような実施形態においては、簡単でコンパクトな構成が得られ、そのような簡単でコンパクトな構成は、サイドドアが開かれるときにサイドドアの回転を可能にする。
【００１４】
幾つかの実施形態において、第２継手は、第２回転軸線を規定する回転継手として構成可能であり、第２回転軸線は、ドアヒンジが閉鎖状態にあると共に、ベースがその取り付け方位に位置する場合、ベースに対して傾斜している。
【００１５】
即ち、このような傾斜した第２回転軸線は、サイドドアが開かれるときに、サイドドアを実質的に垂直平面内に維持すると共に、サイドドアが完全に開放されたときにも当然ながらドアの垂直性を維持する効果を有する。このような効果の利点は、サイドドアの重心がヒンジと整列するが故に、ドアヒンジ自体の負荷と車両のボディにおける負荷が最小限に抑えられることである。
【００１６】
ベース、連結器、クランク、並びにフォロワで構成される機械的リンク機構は、幾つかの実施形態において、ドアヒンジが閉鎖状態から開放状態に変化したときに、ダブルロッカー運動を規定することができる。このような機械的リンク機構は、第１継手及び第３継手がベース上において離間し、第２継手及び第４継手が連結器上において離間している実施形態で得ることができる。例えば、第１継手と第３継手との中心の間隔は、第２継手と第４継手との中心の間隔よりも大きくてもよく、第１継手と第２継手との中心の間隔は、第３継手と第４継手との中心の間隔よりも大きくてもよい。
【００１７】
このような機械的リンク機構の利点は、簡単でコンパクトな構成を有することである。
【００１８】
ドアヒンジはダンパを備えることができ、幾つかの実施形態においてはアクチュエータを備えることができる。ダンパ、例えばリニアダンパは、第６継手によりベースに接続することができ、第７継手によりクランクに接続することができ、ドアヒンジが開放状態から閉鎖状態に変化したときに、ベースとクランクとの間の相対運動を減衰させるよう配置することができる。アクチュエータは、第８継手によりベースに接続することができ、第９継手によりクランクに接続することができ、ドアヒンジを閉鎖状態から開放状態に変化させるよう構成することができる。
【００１９】
このような実施形態の利点は、簡単でコンパクトな構成により、サイドドアの開閉が容易かつ安全に実現可能なことである。
【００２０】
上述した課題は、第２態様によれば、ボディと、サイドドアと、第１態様に係るドアヒンジとを備える道路車両により解決される。この場合、ドアヒンジにより、道路車両のサイドドアが道路車両のボディに接続される。
【図面の簡単な説明】
【００２１】
【図１】サイドドアを備える道路車両を左側から示す略図である。
【図２】図2a及び図2bは、サイドドアが開かれる一連の動作時における道路車両を左側から示す略図である。
【図３】図3a及び図3bは、それぞれ、左側から見たドアヒンジの閉鎖状態及び開放状態で示す説明図であり、図3c及び図3dは、それぞれ、正面から見たドアヒンジを閉鎖状態及び開放状態で示す説明図であり、図3e及び図3fは、それぞれ、上側から見たドアヒンジを閉鎖状態及び開放状態で示す説明図であり、図3g及び図3hは、それぞれ、右側から見たドアヒンジを閉鎖状態及び開放状態で示す説明図である。
【発明を実施するための形態】
【００２２】
図１は、前部10、後部20、並びにサイドドア200を備える低車高の道路車両100を左側から概略的に示す。図示の道路車両100は静止しており、歩道又は舗道の一部であり得る縁石112の横における地面111の一部に駐車している。この場合、サイドドア200は、開いたときに多かれ少なかれ重大な損傷を被るリスクがあることが容易に理解できる。図1aに概略的に示すように、サイドドア200は、縁石112の高さよりも小さい最下縁201を有するため、外側に向けて（即ち図１の平面に対して垂直な方向に）動くか又はスイングするときに最下縁201が縁石112に衝突する。
【００２３】
図2a及び図2bは、ドアヒンジ300が閉鎖状態から開放状態に変化したことにより、
ドアヒンジ300によって道路車両100に接続されたサイドドア200が開かれる一連の動作を示す。図2aに示すドア200は、図2aの平面に対して垂直な方向において、上側及び外側に向けてシフトしつつ、外側方向に対して横方向における平面内で回転した半開状態にある。図2bに示すドア200は、上側及び外側に向けて更にシフトしつつ、搭乗者が道路車両100から降車するときに最大のスペースが得られる位置に更に回転した開放状態にある。
【００２４】
以下、ドアヒンジ300の実施形態を、図１、図2a及び図2bを引き続き参照しつつ、図3a〜図3hに基づいて詳述する。
【００２５】
ドアヒンジは、ドアヒンジ300をサイドドア200に接続するためのドアマウント302を備える。
【００２６】
ドアヒンジ300を道路車両100のボディ102に取り付けるために、取り付け方位に位置するベース304が設けられている。ベース304は、フレームとして構成可能であり、図3c〜図3dの前部10から見た場合に最も明瞭であるように、そのようなベース又はフレームは、適切な構成を有することにより、ヒンジ300を道路車両100のボディ102に確実に取り付けることを可能にする。
【００２７】
ドアマウント302には、連結器306が接続され、またクランク308は、第１継手310によりベース304に旋回可能に接続されている。クランク308は、第２継手312により連結器306に接続されている。
【００２８】
図3c及び図3dに明示するように、第１継手310としては、第1回転軸線330を規定する回転継手が使用可能であり、その回転継手は、ドアヒンジ300が開放状態にあると共に、ベース304がその取り付け方位に位置する場合、ドアマウント302に対して傾斜している。様々な実施形態において、第１回転軸線330は、ドアマウント302に対して、垂直方向に5°〜25°又は10°〜20°の角度394だけ傾斜している。換言すれば、第１回転継手310は、ドアマウント302をシフトさせるよう配置又は配向されるから、ドアマウント302に取り付けられたドア200が、取り付け方位に位置するベース304に対して上側に向けてシフトする。従って、ドア200がボディ102に取り付けられ、かつドアヒンジ300が閉鎖状態から開放状態に移行するときに、ドア200が道路車両100のボディ102に対してシフトする。
【００２９】
フォロワ314は、第３継手316、例えば球状継手により、ベース304に旋回可能に接続されると共に、第４継手318、例えば球状継手により、連結器306に接続されている。ベース304、連結器306、クランク308、並びにフォロワ314は、ドアマウント302をシフトさせるよう配置されるから、ドアマウント302に取り付けられたドア200が、取り付け方位に位置するベース304に対して外側に向けてシフトする。従って、ドア200がボディ102に取り付けられ、かつドアヒンジ300が閉鎖状態から開放状態に変化するときに、ドア200が道路車両100のボディ102に対してシフトする。
【００３０】
連結器306は、第５継手320により、ドアマウント302に接続されている。第５継手320は、回転継手として構成されると共に、連結器306に対してドアマウント302の回転を可能にするよう配置されている。この場合、ドアマウント302の回転は、外側に向けた運動に対して横方向に生じる。
【００３１】
歯車機構322は、ドアマウント302及びクランク308を接続し、かつドアヒンジ300が閉鎖状態から開放状態に変化するときに、ドアマウント302を連結器306に対して回転させるよう配置されている。
【００３２】
図3e及び3fに明示するように、ベース304、連結器306、クランク308、並びにフォロワ314は、ドアヒンジ300が閉鎖状態から開放状態に変化したときに、連結器306とクランク308との間で角度変化393を生じさせるよう更に配置することができる。図示の実施形態において、歯車機構322は、ドアマウント302に取り付けられた複数の第１歯部324と、クランク308に取り付けられた複数の第２歯部326を含む。第１歯部324及び第２歯部326は、例えば、傘歯車又は傘歯車の一部として構成されている。そのような実施形態において、第１歯部324及び第２歯部326は、協働するよう配置されているため、連結器306とクランク308との間で角度変化393が生じたときにドアマウント302が連結器306に対して回転する。
【００３３】
図3a及び図3bに明示するように、第２継手312としては、第２回転軸線332を規定する回転継手が使用可能であり、その回転継手は、ドアヒンジ300が閉鎖状態にあると共に、ベース304がその取り付け方位に位置する場合、ベース304に対して傾斜している。第２回転軸線332は、ドアヒンジ300が閉鎖状態にあると共に、ベース304がその取り付け方位に位置する場合、ベース304に対して、垂直方向に5°〜25°又は10°〜20°の角度395だけ傾斜させることができる。ドアヒンジ300のこのような実施形態において、傾斜した第２回転軸線322は、サイドドア200がドアマウント302に取り付けられ、かつ開かれるときに、サイドドア200を実質的に垂直平面内に維持すると共に、（例えば図2bに示すように）サイドドア200が完全に開放されたときにもドア200の垂直性を維持する効果を有する。
【００３４】
図3e及び図3fに明示するように、ドアヒンジ300が閉鎖状態から開放状態に変化したときに、ダブルロッカー運動を規定する機械的リンク機構は、ベース304、連結器306、クランク308、並びにフォロワ314で構成することができる。このような機械的リンク機構は、第１継手310及び第３継手316がベース304上において離間し、第２継手312及び第４継手318が連結器306上において離間している実施形態で得ることができる。例えば、第１継手310と第３継手316との中心の間隔は、第２継手312と第４継手318との中心の間隔よりも大きくてもよく、第１継手310と第２継手312との中心の間隔は、第３継手316と第４継手318との中心の間隔よりも大きくてもよい。
【００３５】
図3g及び図3hに明示するように、ドアヒンジ300の実施形態は、ダンパ340及び／又はアクチュエータ350を備えることができる。ダンパ340は、第６継手342、例えば球状継手によりベース304に接続し、第７継手344、例えば球状継手によりクランク308に接続することができる。このようなダンパ304は、ドアヒンジ300が開放状態から閉鎖状態に変化したときに、ベース304とクランク308との間の相対運動を減衰させるよう配置することができる。アクチュエータ350は、第８継手352、例えば球状継手によりベース304に接続し、第９継手354、例えば球状継手によりクランク308に接続することができる。このようなアクチュエータ350は、ドアヒンジ300を閉鎖状態から開放状態に変化させるよう構成することができる。例えば図3g及び図3hに示す実施形態の場合のように、ダンパ340及びアクチュエータ350の何れかは、リニアタイプとして構成可能であり、またアクチュエータ350には、適切な方法で電力が供給可能である（図示せず）。
【００３６】
ドアヒンジ300の実施形態は、10 kg〜100 kgの範囲の重量を有するサイドドア200を支持できるように構成される。即ち、ドアヒンジ300は、材料の適切な選択及び絶対的な寸法により、10 kg〜100 kgのドア200を確実に支持すると共に、閉鎖状態から開放状態に変更することができる。
【図１】
2019123501.tif 000003
【図２ａ】
2019123501.tif 000004
【図２ｂ】
2019123501.tif 000005
【図３ａ】
2019123501.tif 000006
【図３ｂ】
2019123501.tif 000007
【図３ｃ】
2019123501.tif 000008
【図３ｄ】
2019123501.tif 000009
【図３ｅ】
2019123501.tif 000010
【図３ｆ】
2019123501.tif 000011
【図３ｇ】
2019123501.tif 000012
【図３ｈ】
2019123501.tif 000013
【外国語明細書】
2019123501000001.pdf